(57)【要約】【課題】  保温性を有し、食器として再利用可能な包装容器を提供する。【解決手段】  容器本体および容器本体の開口部を閉塞する蓋体から構成され、食品が充填密封されて販売される包装容器であって、蓋体は、容器本体の外周部に螺合により着脱自在に取り付けられ、容器本体は、有底筒状で、少なくとも外壁と内壁とから構成され、外内壁間を真空状態または気体封入状態とする多重構造を有し、外周部にラベルを備え、食器として再利用可能である。【選択図】      図１
2017132491.tif 000002
【特許請求の範囲】
【請求項１】
容器本体および容器本体の開口部を閉塞する蓋体から構成され、食品が充填密封されて販売される包装容器であって、
蓋体は、容器本体の外周部に螺合により着脱自在に取り付けられ、
容器本体は、有底筒状で、少なくとも外壁と内壁とから構成され、外内壁間を真空状態または気体封入状態とする多重構造を有し、外周部にラベルを備え、食器として再利用可能であることを特徴とする包装容器。
【請求項２】
容器本体は、下方から上方に向けて広がるテーパー形状であり、複数の容器本体を積み重ねることが可能であることを特徴とする請求項１記載の包装容器。
【請求項３】
蓋体は、容器本体から取り外した後に、容器本体の底面に敷かれるコースターとして再利用可能であることを特徴とする請求項１又は２記載の包装容器。
【請求項４】
蓋体は、容器本体の開口部を閉塞する際に内側となる面に、マドラーを収容することを特徴とする請求項１、２又は３記載の包装容器。
【発明の詳細な説明】
【技術分野】
【０００１】
本発明は、多重構造の容器であって、特に、食品が充填密封されて販売される容器に関する。
【背景技術】
【０００２】
従来より、ジュース等の飲料用容器として、フルオープン型やプルトップ型の密閉容器が広く使用されている。
【発明の概要】
【発明が解決しようとする課題】
【０００３】
このような従来の密閉容器は、近年のコスト低減化の傾向により、薄肉化が行われており、保温性に乏しい。例えば、購入時に温かいものであっても、時間の経過とともに冷めてしまうのが難点であった。また、飲用後の容器はごみとして処分される。資源ごみとして回収され、新たな容器としてリサイクルされるとしても、リサイクルの過程では、大きなエネルギーを要する。さらに、プルトップ型の密閉缶はタブの操作により開封されるが、開封時に蓋の外壁面の一部が、容器内に押し下げられ、内容物に触れることもあるため、外壁面についた細菌や汚れが混入する恐れがあり、不衛生である。
一方で、魔法瓶等の保温機能を有する二重容器が存在するが、これは、一般的には家庭で飲料を充填し、携帯用の飲料容器として繰り返し使用されるものであって、もとより食品が充填された状態で自動販売機や商店で販売されるものではない。
【０００４】
本発明は、上記実情を鑑みたものであり、保温性を有し、食器として再利用可能な包装容器を提供することを目的とする。
【課題を解決するための手段】
【０００５】
本発明のうち請求項１の発明は、容器本体および容器本体の開口部を閉塞する蓋体から構成され、食品が充填密封されて販売される包装容器であって、蓋体は、容器本体の外周部に螺合により着脱自在に取り付けられ、容器本体は、有底筒状で、少なくとも外壁と内壁とから構成され、外内壁間を真空状態または気体封入状態とする多重構造を有し、外周部にラベルを備え、食器として再利用可能であることを特徴とする。
【０００６】
本発明のうち請求項２の発明は、容器本体は、下方から上方に向けて広がるテーパー形状であり、複数の容器本体を積み重ねることが可能であることを特徴とする。
【０００７】
本発明のうち請求項３の発明は、蓋体は、容器本体から取り外した後に、容器本体の底面に敷かれるコースターとして再利用可能であることを特徴とする。
【０００８】
本発明のうち請求項４の発明は、蓋体は、容器本体の開口部を閉塞する際に内側となる面に、マドラーを収容することを特徴とする。
【発明の効果】
【０００９】
本発明のうち請求項１の発明によれば、容器本体は少なくとも外壁と内壁とから構成され、外内壁間を真空状態または気体封入状態とする多重構造を有する包装容器であるから、保温効果を有し、温かい飲料は温かく、冷たい飲料は冷たく保つことができる。また、内容物を飲食後に、ラベルを取り除くことによって、容器本体を食器として再利用できる。さらに、蓋体は、容器本体の外周部に螺合により取り付けられるため、プルトップ型の密閉缶のように、外壁面の汚れが混入する恐れはなく、容器本体の開口部に直接口を付けて飲食しても、口が触れる部分は閉塞時に蓋体の内側と螺合する部分であるため、清潔である。
【００１０】
本発明のうち請求項２の発明によれば、請求項１記載の発明において、複数の容器本体を積み重ねることができるため、収納場所をとらず便宜である。
【００１１】
本発明のうち請求項３の発明によれば、請求項１又は２記載の発明において、蓋体をコースターとして再利用することができるため、ごみを出さず、また、容器本体底部に敷くことで、開封後の内容物の保温性をより高めることができる。
【００１２】
本発明のうち請求項４の発明によれば、請求項１、２又は３記載の発明において、蓋体の内側にマドラーを収容するため、便宜である。
【図面の簡単な説明】
【００１３】
【図１】本願発明の容器本体と蓋体の縦断面図である。
【図２】本願発明の容器本体と蓋体の斜視図である。
【図３】本願発明の蓋体の底面図である。
【図４】本願発明の使用例を示す斜視図である。
【発明を実施するための形態】
【００１４】
本発明の包装容器の具体的な構成について、図面に基づいて説明する。この包装容器は、食品が充填密封されて販売される容器であって、図１および図２に示すように、容器本体１０、蓋体２０、および、ラベル１３から構成されるものである。
【００１５】
容器本体１０は、上部が開口した有底筒形状であって、図１に示すように、外壁１１と内壁１２とから構成される多重構造を有する。外内壁間は、真空状態または気体封入状態とする。コスト面から、気体として空気を封入してもよいが、その他の気体を封入してもよく、より保温性を高めるには、真空状態とするのが望ましい。容器本体１０は、下方から上方に向けて広がるテーパー形状であり、より詳しくは、外壁１１の底部外径が、内壁１２の上部開口部分の内径よりも小さい。よって、複数の容器本体１０を積み重ねることが可能である。外壁１１と内壁１２の材質は問わないが、飲料容器の材質として一般的なアルミやスチール等の金属が好ましく、この場合、外壁１１と内壁１２をそれぞれプレス加工によって形成し、外壁１１と内壁１２を溶接により接合することによって形成される。溶接個所は、容器本体１０の上部開口部分に限られず、底部であってもよい。
【００１６】
容器本体１０は、外周部にラベル１３を備える。ラベル１３は、販売時のために内容物の表示、商品名、企業名等を印字したものであって、内容物を飲食後に、容器本体１０から容易に取り除くことができるものである。これによって、図４に示すように、容器本体１０を食器として再利用する際に美観を損なわない。ラベル１３の形態は問わないが、容器本体１０外周部の一部に貼りつけるシール状のものであってもよいし、外周部を覆うフィルム状のものであってもよい。
【００１７】
蓋体２０は、容器本体１０の外周部に螺合により着脱自在に取り付けられるものであり、容器本体１０に蓋体２０を螺合した状態で、本発明の包装容器を上下に複数個積み重ねることが可能である。容器本体１０に内容物を充填後、蓋体２０によって密閉される。容器本体１０から取り外した後は、図４に示すように、容器本体１０の底面に敷かれるコースターとして再利用可能であり、コースターとして利用する際は、上面または底面のどちらを底面としてもよく、容器の底面と接する面に、滑り止めの加工を施してもよい。
【００１８】
また、蓋体２０は、図１および図３に示すように、容器本体１０の開口部を閉塞する際に内側となる面、言い換えれば底面に、マドラー３０を収容する。マドラー３０は、両端が蓋体２０底面に設けられた切離部３１と接合された状態で蓋体２０内に収容されており、この切離部３１から切り離すことによって、使用できるようになる。マドラー３０の収容方法は、切離部３１との接合に限定されることはなく、例えば、蓋体２０の底面に把持部を設け、その把持部にマドラー３０の一部を係止するものであってもよい。マドラー３０の収容方向は、図３に示した、マドラー３０の長手方向が蓋体２０の面方向と平行になるように収容されるものに限定されることはなく、マドラー３０の一端が蓋体２０の一部に接合または係止され、長手方向が容器本体１０の上下方向と平行になるように収容されるものであってもよい。
【００１９】
マドラー３０は、長手方向の一方に撹拌部を有している。マドラー３０の全長は、蓋体２０の内径を超えるものであってもよく、例えば、折り畳み式のマドラー３０であれば、蓋体２０内に収容できる。
【００２０】
容器本体１０と蓋体２０に模様や造形を施せば、容器本体１０を食器として、また、蓋体２０をコースターとして再利用する際の美観を高めることができる。
【００２１】
本発明は、上記の実施形態に限定されるものではなく、本発明の要旨の範囲内で変更可能である。例えば、容器本体１０の外壁１１および内壁１２は、円筒形状に限るものではなく、多角形の筒状であってもよい。本発明の包装容器を上下に複数個安定して積み重ねられるよう、蓋体２０の上面に、滑り止め加工や、容器本体１０の底面が嵌合する嵌合凹部を設けてもよい。
【符号の説明】
【００２２】
１０    容器本体
１１    外壁
１２    内壁
１３    ラベル
２０    蓋体
３０    マドラー
３１    切離部
【図１】
2017132491.tif 000003
【図２】
2017132491.tif 000004
【図３】
2017132491.tif 000005
【図４】
2017132491.tif 000006